(57)【特許請求の範囲】
【請求項１】
画像を表示する複数の画素を有する表示デバイスと、前記表示デバイスの画面側でタッチ検出を行うタッチ検出デバイスと、前記表示デバイス及び前記タッチ検出デバイスの動作を制御する動作制御部とを備え、
前記表示デバイスは、画面の走査方向に対して交差する方向に少なくとも分けられた複数の部分表示部を有し、
前記部分表示部は、前記画面の走査方向に沿って並列する複数の走査線が個別に設けられ、
前記タッチ検出デバイスは、前記画面の走査方向に対して交差する方向に少なくとも分けられた複数の部分検出部を有し、
前記部分検出部は、並列する複数のタッチ検出電極及び前記タッチ検出電極が並列する方向と異なる方向に沿って並列して前記タッチ検出電極との間に静電容量を形成する複数の駆動電極が個別に設けられ、
前記動作制御部は、所定期間中に画像の更新が行われる表示更新領域と当該所定期間中にタッチ検出が行われるタッチ検出領域とが異なる位置となるように前記複数の部分表示部及び前記複数の部分検出部の動作を制御し、
前記駆動電極と前記画素の電極とが個別に設けられ、
前記動作制御部は、前記表示デバイスと前記タッチ検出デバイスとを同期信号で同期させる
表示装置。
【請求項２】
前記動作制御部は、前記表示更新領域における画像の更新とタッチ検出領域によるタッチ検出とを並行させる
請求項１に記載の表示装置。
【請求項３】
前記表示デバイスは、前記走査方向と直交する方向に沿って前記画面を２分割するよう設けられた部分表示部を有し、
前記タッチ検出デバイスは、前記走査方向と直交する方向に沿って前記画面を２分割するよう設けられた部分検出部を有する
請求項２に記載の表示装置。
【請求項４】
画像の更新が行われる前記表示更新領域の切替タイミングとタッチ検出が行われる前記タッチ検出領域の切替タイミングとが同一である
請求項２又は３に記載の表示装置。
【請求項５】
画像を表示する複数の画素を有する表示デバイスと、前記表示デバイスの画面側でタッチ検出を行うタッチ検出デバイスと、前記表示デバイス及び前記タッチ検出デバイスの動作を制御する動作制御部とを備え、
前記表示デバイスは、画面の走査方向に沿って並列する複数の走査線を有し、
前記タッチ検出デバイスは、並列する複数のタッチ検出電極及び前記タッチ検出電極が並列する方向と異なる方向に沿って並列して前記タッチ検出電極との間に静電容量を形成する複数の駆動電極が個別に設けられた複数の部分検出部を有し、
画像の更新が行われる表示更新領域及び前記複数の部分検出部によって個別にタッチ検出が行われるタッチ検出領域は、前記走査方向に２つ以上設けられ、
前記動作制御部は、所定期間中に画像の更新が行われる前記表示更新領域と当該所定期間中にタッチ検出が行われる前記タッチ検出領域とが前記異なる位置となるように前記表示デバイスで走査が行われる範囲及び前記複数の部分検出部の動作を制御し、
前記駆動電極と前記画素の電極とが個別に設けられ、
前記動作制御部は、前記表示デバイスと前記タッチ検出デバイスとを同期信号で同期させる
表示装置。
【請求項６】
画像を表示する複数の画素を有する表示デバイスと、前記表示デバイスの画面側でタッチ検出を行うタッチ検出デバイスと、前記表示デバイス及び前記タッチ検出デバイスの動作を制御する動作制御部とを備え、
前記表示デバイスは、画面の走査方向に対して交差する方向に少なくとも分けられた複数の部分表示部を有し、
前記部分表示部は、前記画面の走査方向に沿って並列する複数の走査線が個別に設けられ、
前記タッチ検出デバイスは、前記画面の走査方向に対して交差する方向に少なくとも分けられた複数の部分検出部を有し、
前記部分検出部は、前記画面の走査方向に沿って並列する複数のタッチ電極が個別に設けられ、
前記動作制御部は、所定期間中に画像の更新が行われる表示更新領域と当該所定期間中にタッチ検出が行われるタッチ検出領域とが異なる位置となるように前記複数の部分表示部及び前記複数の部分検出部の動作を制御し、
前記タッチ電極と前記画素の電極とが個別に設けられ、
前記動作制御部は、前記表示デバイスと前記タッチ検出デバイスとを同期信号で同期させる
表示装置。
【発明の詳細な説明】
【技術分野】
【０００１】
本発明は、表示装置に関する。
【背景技術】
【０００２】
画像を表示する表示デバイスに、透光性を有するタッチパネル方式のタッチ検出デバイスが重畳されたいわゆるタッチ検出機能付き表示装置が知られている。係る表示装置で表示デバイスによる画像の更新と、タッチ検出デバイスによるタッチ検出とを同時に並行して行うと、表示デバイスの表示駆動に伴い生じるノイズがタッチ検出に影響し、タッチ検出の精度を低下させることがある。係るノイズへの対策の一案として、画像の更新とタッチ検出とを時分割で行う時分割制御を採用した表示装置が知られている（例えば特許文献１）。
【先行技術文献】
【特許文献】
【０００３】
【特許文献１】国際公開第２０１２／１２１０９１号
【発明の概要】
【発明が解決しようとする課題】
【０００４】
しかしながら、特許文献１に記載されているような時分割制御では、画像の更新期間中にタッチ検出を行うことができない。このため、タッチ検出を行うことができる時間の制約が厳しく、タッチ検出を行うことが想定されている全ての領域でのタッチ検出の完了及び当該完了に伴うタッチ検出結果の出力の頻度を上げることが困難であった。また、タッチ検出を行うことができる時間の制約から、所定期間中に同じ領域でのタッチ検出を行う回数の制限も厳しく、少ない回数のタッチ検出結果によらざるを得ない状況からタッチ検出精度の向上が困難であった。
【０００５】
本発明は、上記の課題に鑑みてなされたもので、表示デバイスの動作とタッチ検出デバイスの動作の並行と表示デバイスの動作に伴い生じ得るノイズによるタッチ検出デバイスへの影響の低減とを両立することができる表示装置を提供することを目的とする。又は、より多くの時間をかけたタッチ検出によるタッチ検出精度及びタッチ検出結果の出力頻度の向上がより容易な表示装置を提供することを目的とする。
【課題を解決するための手段】
【０００６】
本発明の一態様による表示装置は、画像を表示する複数の画素を有する表示デバイスと、前記表示デバイスの画面側でタッチ検出を行うタッチ検出デバイスと、前記表示デバイス及び前記タッチ検出デバイスの動作を制御する動作制御部とを備え、前記表示デバイスは、画面の走査方向に対して交差する方向に少なくとも分けられた複数の部分表示部を有し、前記部分表示部は、前記画面の走査方向に沿って並列する複数の走査線が個別に設けられ、前記タッチ検出デバイスは、前記画面の走査方向に対して交差する方向に少なくとも分けられた複数の部分検出部を有し、前記部分検出部は、並列する複数のタッチ検出電極及び前記タッチ検出電極が並列する方向と異なる方向に沿って並列して前記タッチ検出電極との間に静電容量を形成する複数の駆動電極が個別に設けられ、前記動作制御部は、所定期間中に画像の更新が行われる表示更新領域と当該所定期間中にタッチ検出が行われるタッチ検出領域とが異なる位置となるように前記複数の部分表示部及び前記複数の部分検出部の動作を制御する。
【０００７】
本発明の一態様による表示装置は、画像を表示する複数の画素を有する表示デバイスと、前記表示デバイスの画面側でタッチ検出を行うタッチ検出デバイスと、前記表示デバイス及び前記タッチ検出デバイスの動作を制御する動作制御部とを備え、前記表示デバイスは、画面の走査方向に対して交差する方向に少なくとも分けられた複数の部分表示部を有し、前記部分表示部は、前記画面の走査方向に沿って並列する複数の走査線が個別に設けられ、前記タッチ検出デバイスは、前記画面の走査方向に対して交差する方向に少なくとも分けられた複数の部分検出部を有し、前記部分検出部は、前記画面の走査方向に沿って並列する複数のタッチ電極が個別に設けられ、前記動作制御部は、所定期間中に画像の更新が行われる前記表示更新領域と当該所定期間中にタッチ検出が行われる前記タッチ検出領域とが前記異なる位置となるように前記表示デバイスで走査が行われる範囲及び前記複数の部分検出部の動作を制御する。
【図面の簡単な説明】
【０００８】
【図１】図１は、実施形態１に係るタッチ検出機能付き表示装置の一構成例を表すブロック図である。
【図２】図２は、静電容量型タッチ検出方式の基本原理を説明するため、指が接触又は近接していない状態を表す説明図である。
【図３】図３は、図２に示す指が接触又は近接していない状態の等価回路の例を示す説明図である。
【図４】図４は、駆動信号及びタッチ検出信号の波形の一例を表す図である。
【図５】図５は、タッチ検出機能付き表示装置を実装したモジュールの一例を示す図である。
【図６】図６は、実施形態１に係るタッチ検出機能付き表示デバイスの概略断面構造を表す断面図である。
【図７】図７は、実施形態１に係るタッチ検出機能付き表示デバイスの画素配置を表す回路図である。
【図８】図８は、実施形態１に係るタッチ検出機能付き表示デバイスの駆動電極及びタッチ検出電極の一構成例を表す斜視図である。
【図９】図９は、実施形態１に係る液晶表示デバイスにおける走査線の配線を示す図である。
【図１０】図１０は、実施形態１に係るタッチ検出デバイスにおけるタッチ検出電極及び駆動電極の配線を示す図である。
【図１１】図１１は、実施形態１に係るＣＯＧ及び電源装置の概略構成の一例を示す図である。
【図１２】図１２は、実施形態１に係る表示更新領域の区分とタッチ検出電極の配置との関係の一例を示す図である。
【図１３】図１３は、実施形態１における画像の更新のタイミングとタッチ検出のタイミングとの関係の一例を示すタイミングチャートである。
【図１４】図１４は、参考例である従来の液晶表示デバイスにおける走査線の配線を示す図である。
【図１５】図１５は、参考例である従来のタッチ検出デバイスにおけるタッチ検出電極及び駆動電極の配線を示す図である。
【図１６】図１６は、参考例における画像の更新のタイミングとタッチ検出のタイミングとの関係を示すタイミングチャートである。
【図１７】図１７は、変形例１における画像の更新のタイミングとタッチ検出のタイミングとの関係を示すタイミングチャートである。
【図１８】図１８は、変形例２における画像の更新のタイミングとタッチ検出のタイミングとの関係を示すタイミングチャートである。
【図１９】図１９は、変形例３における走査線の配置例を示す図である。
【図２０】図２０は、変形例４における駆動電極及びタッチ検出電極の配置例を示す図である。
【図２１】図２１は、実施形態２に係るタッチ検出機能付き表示デバイスの概略断面構造を表す断面図である。
【図２２】図２２は、実施形態２に係る液晶表示デバイス及びタッチ検出デバイスの形態を示す図である。
【図２３】図２３は、実施形態３に係る液晶表示デバイスにおける走査線の配線を示す図である。
【図２４】図２４は、実施形態３に係るタッチ検出デバイスにおけるタッチ検出電極及び駆動電極の配線を示す図である。
【図２５】図２５は、実施形態３に係る表示更新領域の区分とタッチ検出電極の配置との関係の一例を示す図である
【図２６】図２６は、実施形態３における画像の更新のタイミングとタッチ検出のタイミングとの関係の一例を示すタイミングチャートである。
【発明を実施するための形態】
【０００９】
以下に、本発明の実施形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
（実施形態１）
図１は、本発明の実施形態１に係るタッチ検出機能付き表示装置の一構成例を表すブロック図である。タッチ検出機能付き表示装置１は、タッチ検出機能付き表示デバイス１０と、制御部１１と、ゲートドライバ１２と、ソースドライバ１３と、駆動電極ドライバ１４と、タッチ検出部４０とを備えている。このタッチ検出機能付き表示装置１は、タッチ検出機能付き表示デバイス１０がタッチ検出機能を内蔵した表示デバイスである。タッチ検出機能付き表示デバイス１０は、表示素子として液晶表示素子を用いている液晶表示デバイス２０と静電容量型のタッチ検出デバイス３０とを一体化した装置である。なお、タッチ検出機能付き表示デバイス１０は、表示素子として液晶表示素子を用いている液晶表示デバイス２０の上に、静電容量型のタッチ検出デバイス３０を装着した装置であってもよい。なお、液晶表示デバイス２０は、例えば、有機ＥＬ表示デバイスであってもよい。
【００１１】
液晶表示デバイス２０は、ゲートドライバ１２から供給される走査信号Ｖｓｃａｎに従って、順次走査して表示を行うデバイスである。制御部１１は、外部より供給された映像信号Ｖｄｉｓｐに基づいて、ゲートドライバ１２、ソースドライバ１３、駆動電極ドライバ１４、及びタッチ検出部４０に対してそれぞれ制御信号を供給し、これらが互いに同期して動作するように制御する回路である。
【００１２】
ゲートドライバ１２は、制御部１１から供給される制御信号に基づいて、タッチ検出機能付き表示デバイス１０の表示駆動の対象となる副画素ＳＰｉｘが接続された走査線ＧＣＬに走査信号Ｖｓｃａｎを供給する機能を有している。具体的には、ゲートドライバ１２は、例えば、後述するＣＯＧ１９とゲートドライバ１２ａ，１２ｂを有する（図９参照）。
【００１３】
ソースドライバ１３は、制御部１１から供給される制御信号に基づいて、タッチ検出機能付き表示デバイス１０の、後述する各副画素ＳＰｉｘに画素信号Ｖｐｉｘを供給する回路である。
【００１４】
駆動電極ドライバ１４は、制御部１１から供給される制御信号に基づいて、タッチ検出機能付き表示デバイス１０の、後述する駆動電極ＣＯＭＬに駆動信号Ｖｃｏｍを供給する回路である。
【００１５】
タッチ検出部４０は、制御部１１から供給される制御信号と、タッチ検出機能付き表示デバイス１０のタッチ検出デバイス３０から供給されたタッチ検出信号Ｖｄｅｔとに基づいて、タッチ検出デバイス３０に対するタッチ（後述する接触又は近接の状態）の有無を検出し、タッチがある場合においてタッチ検出領域におけるその座標などを求める回路である。このタッチ検出部４０は、タッチ検出信号増幅部４２と、Ａ／Ｄ変換部４３と、信号処理部４４と、座標抽出部４５と、検出タイミング制御部４６とを備えている。
【００１６】
タッチ検出信号増幅部４２は、タッチ検出デバイス３０から供給されるタッチ検出信号Ｖｄｅｔを増幅する。タッチ検出信号増幅部４２は、タッチ検出信号Ｖｄｅｔに含まれる高い周波数成分（ノイズ成分）を除去し、タッチ成分を取り出してそれぞれ出力する低域通過アナログフィルタを備えていてもよい。
【００１７】
（静電容量型タッチ検出の基本原理）
タッチ検出デバイス３０は、静電容量型タッチ検出の基本原理に基づいて動作し、タッチ検出信号Ｖｄｅｔを出力する。図１〜図４を参照して、実施形態１のタッチ検出機能付き表示装置１におけるタッチ検出の基本原理について説明する。図２は、静電容量型タッチ検出方式の基本原理を説明するため、指が接触または近接していない状態を表す説明図である。図３は、図２に示す指が接触または近接していない状態の等価回路の例を示す説明図である。図４は、駆動信号及びタッチ検出信号の波形の一例を表す図である。
【００１８】
例えば、図２に示すように、容量素子Ｃは、誘電体Ｄを挟んで互いに対向配置された一対の電極、駆動電極Ｅ１及びタッチ検出電極Ｅ２を備えている。図３に示すように、容量素子Ｃは、その一端が交流信号源（駆動信号源）Ｓに結合され、他端は電圧検出器（タッチ検出部）ＤＥＴに結合される。電圧検出器ＤＥＴは、例えば図１に示すタッチ検出信号増幅部４２に含まれる積分回路である。
【００１９】
交流信号源Ｓから駆動電極Ｅ１（容量素子Ｃの一端）に所定の周波数（例えば数ｋＨｚ〜数百ｋＨｚ程度）の交流矩形波Ｓｇを印加すると、タッチ検出電極Ｅ２（容量素子Ｃの他端）側に結合された電圧検出器ＤＥＴを介して、出力波形（タッチ検出信号Ｖｄｅｔ）が現れる。なお、この交流矩形波Ｓｇは、後述するタッチ駆動信号Ｖｃｏｍｔに相当するものである。
【００２０】
指が接触（または近接）していない状態（非接触状態）では、容量素子Ｃに対する充放電に伴って、容量素子Ｃの容量値に応じた電流Ｉが流れる。図４に示すように、電圧検出器ＤＥＴは、交流矩形波Ｓｇに応じた電流Ｉの変動を電圧の変動（実線の波形Ｖ０）に変換する。
【００２１】
一方、指が接触（または近接）した状態（接触状態）では、指によって形成される静電容量がタッチ検出電極Ｅ２と接している又は近傍にあることにより、駆動電極Ｅ１及びタッチ検出電極Ｅ２の間にあるフリンジ分の静電容量が遮られ、容量素子Ｃが非接触状態の容量値よりも小さい容量値の容量素子として作用する。そして、容量素子Ｃの変化に応じて変動する電流Ｉが流れる。図４に示すように、電圧検出器ＤＥＴは、交流矩形波Ｓｇに応じた電流Ｉの変動を電圧の変動（点線の波形Ｖ１）に変換する。この場合、波形Ｖ１は、上述した波形Ｖ０と比べて振幅が小さくなる。これにより、波形Ｖ０と波形Ｖ１との電圧差分の絶対値｜ΔＶ｜は、指などの外部から近接する物体の影響に応じて変化することになる。なお、電圧検出器ＤＥＴは、波形Ｖ０と波形Ｖ１との電圧差分の絶対値｜ΔＶ｜を精度よく検出するため、回路内のスイッチングにより、交流矩形波Ｓｇの周波数に合わせて、コンデンサの充放電をリセットする期間Ｒｅｓｅｔを設けた動作とすることがより好ましい。
【００２２】
図１に示すタッチ検出デバイス３０は、駆動電極ドライバ１４から供給される駆動信号Ｖｃｏｍ（後述するタッチ駆動信号Ｖｃｏｍｔ）に従って、１検出ブロックずつ順次走査してタッチ検出を行うようになっている。
【００２３】
タッチ検出デバイス３０は、複数の後述するタッチ検出電極ＴＤＬから、図３又は図４に示す電圧検出器ＤＥＴを介して、検出ブロック毎にタッチ検出信号Ｖｄｅｔを出力し、タッチ検出部４０のＡ／Ｄ変換部４３に供給するようになっている。
【００２４】
Ａ／Ｄ変換部４３は、駆動信号Ｖｃｏｍに同期したタイミングで、タッチ検出信号増幅部４２から出力されるアナログ信号をそれぞれサンプリングしてデジタル信号に変換する回路である。
【００２５】
信号処理部４４は、Ａ／Ｄ変換部４３の出力信号に含まれる、駆動信号Ｖｃｏｍをサンプリングした周波数以外の周波数成分（ノイズ成分）を低減するデジタルフィルタを備えている。信号処理部４４は、Ａ／Ｄ変換部４３の出力信号に基づいて、タッチ検出デバイス３０に対するタッチの有無を検出する論理回路である。信号処理部４４は、指による差分の電圧のみ取り出す処理を行う。この指による差分の電圧は、上述した波形Ｖ０と波形Ｖ１との差分の絶対値｜ΔＶ｜である。信号処理部４４は、１検出ブロック当たりの絶対値｜ΔＶ｜を平均化する演算を行い、絶対値｜ΔＶ｜の平均値を求めてもよい。これにより、信号処理部４４は、ノイズによる影響を低減できる。信号処理部４４は、検出した指による差分の電圧を所定のしきい値電圧と比較し、このしきい値電圧以上であれば、外部から近接する外部近接物体の接触状態と判断し、しきい値電圧未満であれば、外部近接物体の非接触状態と判断する。このようにして、タッチ検出部４０はタッチ検出が可能となる。
【００２６】
座標抽出部４５は、信号処理部４４においてタッチが検出されたときに、そのタッチパネル座標を求める論理回路である。検出タイミング制御部４６は、Ａ／Ｄ変換部４３と、信号処理部４４と、座標抽出部４５とが同期して動作するように制御する。座標抽出部４５は、タッチパネル座標を信号出力Ｖｏｕｔとして出力する。
【００２７】
（モジュール）
図５は、タッチ検出機能付き表示装置を実装したモジュールの一例を示す図である。図５に示すように、タッチ検出機能付き表示装置１は、モジュールへ実装するにあたり、ガラス基板のガラス基板２１上に上述した駆動電極ドライバ１４を形成してもよい。
【００２８】
図５に示すように、タッチ検出機能付き表示装置１は、タッチ検出機能付き表示デバイス１０と、駆動電極ドライバ１４と、ＣＯＧ（Chip  On  Glass）１９とを有している。このタッチ検出機能付き表示デバイス１０は、後述するガラス基板２１の表面に対する垂直方向において、駆動電極ＣＯＭＬと、駆動電極ＣＯＭＬと立体交差するように形成されたタッチ検出電極ＴＤＬとを模式的に示している。駆動電極ＣＯＭＬは、例えば、タッチ検出機能付き表示デバイス１０の１辺に沿う方向に形成されており、タッチ検出電極ＴＤＬは、例えば、タッチ検出機能付き表示デバイス１０の他辺に沿う方向に形成されている。タッチ検出電極ＴＤＬの出力は、タッチ検出機能付き表示デバイス１０の他辺側に設けられ、フレキシブル基板などにより構成された端子部Ｔを介して、このモジュールの外部に実装されたタッチ検出部４０と結合されている。駆動電極ドライバ１４は、ガラス基板であるガラス基板２１に形成されている。ＣＯＧ１９は、ガラス基板２１に実装されたチップであり、図１に示した制御部１１など、表示動作に必要な各回路を内蔵したものである。なお、ゲートドライバ１２は、図９に示すゲートドライバ１２ａ，１２ｂのように液晶表示デバイス２０に含まれる基板上に形成されてもよいし、これに限らず、ＣＯＧ１９に内蔵されてもよい。
【００２９】
（タッチ検出機能付き表示デバイス）
次に、タッチ検出機能付き表示デバイス１０の構成例を詳細に説明する。図６は、実施形態１に係るタッチ検出機能付き表示デバイスの概略断面構造を表す断面図である。図７は、実施形態１に係るタッチ検出機能付き表示デバイスの画素配置を表す回路図である。タッチ検出機能付き表示デバイス１０は、第１基板２と、この第１基板２の表面に垂直な方向に対向して配置された第２基板３と、第１基板２と第２基板３との間に挿設された液晶層６とを備えている。
【００３０】
第１基板２は、ガラス基板２１と、このガラス基板２１上に行列状に配設された複数の画素電極２２と、ガラス基板２１及び画素電極２２の間に形成された複数の駆動電極ＣＯＭＬと、画素電極２２と駆動電極ＣＯＭＬとを絶縁する絶縁層２４と、を含む。ガラス基板２１には、図７に示す各副画素ＳＰｉｘの薄膜トランジスタ（ＴＦＴ；Thin  Film  Transistor）素子Ｔｒ、図６に示す各画素電極２２に画素信号Ｖｐｉｘを供給する信号線ＳＧＬ、各ＴＦＴ素子Ｔｒを駆動する走査線ＧＣＬ等の配線が形成されている。このように、信号線ＳＧＬは、ガラス基板２１の表面と平行な平面に延在し、画素に画像を表示するための画素信号Ｖｐｉｘを供給する。図７に示す液晶表示デバイス２０は、行列状に配置した複数の副画素ＳＰｉｘを有している。副画素ＳＰｉｘは、ＴＦＴ素子Ｔｒ及び表示素子(例えば、液晶素子ＬＣ)を備えている。ＴＦＴ素子Ｔｒは、薄膜トランジスタにより構成されるものであり、この例では、ｎチャネルのＭＯＳ（Metal  Oxide  Semiconductor）型のＴＦＴで構成されている。ＴＦＴ素子Ｔｒのソース又はドレインの一方は信号線ＳＧＬに結合され、ゲートは走査線ＧＣＬに結合され、ソース又はドレインの他方は液晶素子ＬＣの一端に結合されている。液晶素子ＬＣは、一端がＴＦＴ素子Ｔｒのソース又はドレインの他方に結合され、他端が駆動電極ＣＯＭＬに結合されている。例えば、液晶素子ＬＣは、画素電極２２を含み、画素電極２２がＴＦＴ素子Ｔｒのドレインと接続される。また、複数の液晶素子ＬＣは、絶縁層２４や液晶層６を介して、複数の駆動電極ＣＯＭＬと接続される。そして、画素電極２２と駆動電極ＣＯＭＬに与えられる電荷に応じて副画素ＳＰｉｘは駆動される。このように、画素電極２２及び駆動電極ＣＯＭＬは、副画素ＳＰｉｘの駆動に用いられる電極として機能する。なお、本実施例において、ガラス基板２１に対して、駆動電極ＣＯＭＬ、絶縁層２４、画素電極２２が順に積層されているが、これに限らず、ガラス基板２１に対して、画素電極２２、絶縁層２４、駆動電極ＣＯＭＬが順に積層されてもよく、画素電極２２と駆動電極ＣＯＭＬが絶縁層２４を介して同一層に形成されてもよい。
【００３１】
図７に示す副画素ＳＰｉｘは、走査線ＧＣＬにより、液晶表示デバイス２０の同じ行に属する他の副画素ＳＰｉｘと互いに結合されている。走査線ＧＣＬは、ゲートドライバ１２と結合され、ゲートドライバ１２より走査信号Ｖｓｃａｎが供給される。また、副画素ＳＰｉｘは、信号線ＳＧＬにより、液晶表示デバイス２０の同じ列に属する他の副画素ＳＰｉｘと互いに結合されている。信号線ＳＧＬは、ソースドライバ１３と結合され、ソースドライバ１３より画素信号Ｖｐｉｘが供給される。さらに、副画素ＳＰｉｘは、駆動電極ＣＯＭＬにより、液晶表示デバイス２０の同じ行に属する他の副画素ＳＰｉｘと互いに結合されている。駆動電極ＣＯＭＬは、駆動電極ドライバ１４と結合され、駆動電極ドライバ１４より駆動信号Ｖｃｏｍが供給される。
【００３２】
図１に示すゲートドライバ１２は、走査信号Ｖｓｃａｎを、図７に示す走査線ＧＣＬを介して、画素ＰｉｘのＴＦＴ素子Ｔｒのゲートに印加することにより、液晶表示デバイス２０に行列状に形成されている副画素ＳＰｉｘのうちの１行（１水平ライン）のうち一続きの走査線ＧＣＬを共有する副画素ＳＰｉｘを表示駆動の対象として順次選択する。図１に示すソースドライバ１３は、画素信号Ｖｐｉｘを、図７に示す信号線ＳＧＬを介して、ゲートドライバ１２により順次選択される各副画素ＳＰｉｘにそれぞれ供給する。そして、これらの副画素ＳＰｉｘでは、供給される画素信号Ｖｐｉｘに応じた表示出力が行われるようになっている。図１に示す駆動電極ドライバ１４は、駆動信号Ｖｃｏｍを印加し、所定の本数の駆動電極ＣＯＭＬからなるブロックごとに駆動電極ＣＯＭＬを駆動する。
【００３３】
液晶表示デバイス２０は、ゲートドライバ１２が走査線ＧＣＬを時分割的に線順次走査するように駆動する。また、駆動電極ドライバ１４は、ソースドライバ１３により画素信号Ｖｐｉｘが供給される副画素ＳＰｉｘが設けられた位置に対応する駆動電極ＣＯＭＬを含むブロックに対して駆動信号Ｖｃｏｍを印加するようになっている。
【００３４】
実施形態１に係る駆動電極ＣＯＭＬは、液晶表示デバイス２０の駆動電極として機能するとともに、タッチ検出デバイス３０の駆動電極としても機能する。図８は、実施形態１に係るタッチ検出機能付き表示デバイスの駆動電極及びタッチ検出電極の一構成例を表す斜視図である。図８に示す駆動電極ＣＯＭＬは、図６に示すように、ガラス基板２１の表面に対する垂直方向において、画素電極２２に対向している。タッチ検出デバイス３０は、第１基板２に設けられた駆動電極ＣＯＭＬと、第２基板３に設けられたタッチ検出電極ＴＤＬを含んで構成されている。タッチ検出電極ＴＤＬは、駆動電極ＣＯＭＬの電極パターンの延在方向と交差する方向に延びるストライプ状の電極パターンを含んで構成されている。そして、タッチ検出電極ＴＤＬは、ガラス基板２１の表面に対する垂直な方向において、駆動電極ＣＯＭＬと対向している。タッチ検出電極ＴＤＬの各電極パターンは、タッチ検出部４０のタッチ検出信号増幅部４２の入力にそれぞれ結合されている。駆動電極ＣＯＭＬとタッチ検出電極ＴＤＬにより互いに交差した電極パターンは、その交差部分に静電容量を生じさせている。なお、タッチ検出電極ＴＤＬ又は駆動電極ＣＯＭＬ（駆動電極ブロック）は、ストライプ状に複数に分割される形状に限られない。例えば、タッチ検出電極ＴＤＬ又は駆動電極ＣＯＭＬ（駆動電極ブロック）は、櫛歯形状であってもよい。あるいはタッチ検出電極ＴＤＬ又は駆動電極ＣＯＭＬ（駆動電極ブロック）は、複数に分割されていればよく、駆動電極ＣＯＭＬを分割するスリットの形状は直線であっても、曲線であってもよい。
【００３５】
この構成により、タッチ検出デバイス３０では、タッチ検出動作を行う際、駆動電極ドライバ１４が、駆動電極ブロックを時分割的に線順次走査するように駆動する。これにより、スキャン方向Ｓｃａｎに駆動電極ＣＯＭＬの１検出ブロックが順次選択される。そして、タッチ検出電極ＴＤＬからタッチ検出信号Ｖｄｅｔが出力される。このようにタッチ検出デバイス３０は、１検出ブロックのタッチ検出が行われるようになっている。つまり、駆動電極ブロックは、上述したタッチ検出の基本原理における駆動電極Ｅ１に対応し、タッチ検出電極ＴＤＬは、タッチ検出電極Ｅ２に対応するものであり、タッチ検出デバイス３０はこの基本原理に従ってタッチを検出するようになっている。このように、タッチ検出デバイス３０は、表示デバイス（液晶表示デバイス２０）の画面側でタッチ検出を行う。図８に示すように、互いに交差した電極パターンは、静電容量式タッチセンサを行列状に構成している。よって、タッチ検出デバイス３０のタッチ検出面全体にわたって走査することにより、外部近接物体の接触または近接が生じた位置の検出も可能となっている。
【００３６】
液晶層６は、電界の状態に応じてそこを通過する光を変調するものであり、例えば、ＦＦＳ（Fringe  Field  Switching）方式を含むいわゆるＩＰＳ（In  Plane  Switching）方式等の横電界モードの液晶を用いた液晶表示デバイスが用いられる。なお、図６に示す液晶層６と第１基板２との間、及び液晶層６と第２基板３との間には、それぞれ配向膜が配設されてもよい。
【００３７】
第２基板３は、ガラス基板３１と、このガラス基板３１の一方の面に形成されたカラーフィルタ３２とを含む。ガラス基板３１の他方の面には、タッチ検出デバイス３０の検出電極であるタッチ検出電極ＴＤＬが形成され、さらに、このタッチ検出電極ＴＤＬの上には、偏光板３５が配設されている。なお、本実施形態では、第１基板、第２基板において、基板をガラス基板としたが、これに限らず、フィルム基板等でもよい。
【００３８】
図６に示すカラーフィルタ３２は、例えば赤（Ｒ）、緑（Ｇ）、青（Ｂ）の３色に着色されたカラーフィルタの色領域を周期的に配置して、上述した図７に示す各副画素ＳＰｉｘにＲ，Ｇ，Ｂの３色の色領域３２Ｒ，３２Ｇ，３２Ｂ（図７参照）が対応付けられ、色領域３２Ｒ，３２Ｇ，３２Ｂを１組として画素Ｐｉｘを構成している。画素Ｐｉｘは、走査線ＧＣＬに平行な方向及び信号線ＳＧＬに平行な方向に沿って行列状に配置され、後述する表示領域Ａｄを形成する。カラーフィルタ３２は、ガラス基板２１と垂直な方向において、液晶層６と対向する。このように、副画素ＳＰｉｘは、単色の色表示を行うことができる。液晶表示デバイス２０は、カラーフィルタ３２で色分けされた副画素ＳＰｉｘを組み合わせた画素Ｐｉｘを用いた表示出力によって画像を表示する。すなわち、液晶表示デバイス２０は、画像を表示する複数の画素Ｐｉｘを有する表示デバイスである。なお、カラーフィルタ３２は、異なる色に着色されていれば、他の色の組み合わせであってもよい。また、色の種類についても３色に限らず、４色以上であってもよい。さらに、カラーフィルタ３２は、着色しない領域、又は、存在しない領域を含んでもよい。言い換えると、カラーフィルタ３２によって着色されない副画素ＳＰｉｘがあってもよい。
【００３９】
（走査線の配線）
図９は、実施形態１に係る液晶表示デバイス２０における走査線ＧＣＬの配線を示す図である。実施形態１に係る液晶表示デバイス２０は、走査線ＧＣＬが走査する方向と交差する方向について複数に分割されるように配線されている。具体的には、例えば図９に示すように、走査する方向と交差する方向に沿う１ラインに２本ずつの走査線ＧＣＬが存する。言い換えると、１ラインに２本存する走査線ＧＣＬが、それぞれ、液晶表示デバイス２０の走査する方向に対して隣接する第１領域（左領域Ｌ）、第２領域(右領域Ｒ)に左領域Ｌ右領域Ｒ存する。実施形態１では、各領域に含まれる走査線ＧＣＬは、液晶表示デバイス２０が走査する方向に対して、配置間隔または配置位置が共通する。例えば、行方向の中間位置、すなわち、列方向に沿って液晶表示デバイス２０の表示領域を２分割する中間線を挟んで、１ラインに２本存する走査線が対向する位置に配置されている。なお、本実施例では、走査線の長さは２分割する中間線を挟んで、行方向の一直線上に２つの走査線ＧＣＬが配置されるが、これに限らない。走査線ＧＣＬは走査方向に交差する方向で３分割以上されていてもよいし、走査線ＧＣＬの長さについても左右で異なってもよい。
【００４０】
また、図９に示すように、実施形態１に係る液晶表示デバイス２０は、ＣＯＧ１９の制御下で走査方向に交差する方向において分断された領域に配置された走査線ＧＣＬのそれぞれに対して走査信号Ｖｓｃａｎを出力するゲートドライバ１２を有する。具体的には、第１領域(左領域Ｌ)の走査線ＧＣＬと第２領域（右領域Ｒ）の走査線ＧＣＬのそれぞれに対して走査信号Ｖｓｃａｎを出力する２つのゲートドライバ１２ａ，１２ｂを有する。ゲートドライバ１２ａは、左領域Ｌの走査線ＧＣＬに接続されている。ゲートドライバ１２ｂは、右領域Ｒの走査線ＧＣＬに接続されている。すなわち、左領域Ｌの走査線ＧＣＬに走査信号Ｖｓｃａｎが出力される場合、ゲートドライバ１２ａの動作による。また、右領域Ｒの走査線ＧＣＬに走査信号Ｖｓｃａｎが出力される場合、ゲートドライバ１２ｂの動作による。
【００４１】
より具体的には、ＣＯＧ１９は、１フレーム分の画素信号Ｖｐｉｘの出力終了から次のフレームの画像の出力に係る垂直同期信号（vsync）の出力開始までの期間であるフロントポーチ（ＶＦＰ：Vertical  Front  Porch）、垂直同期信号（vsync）の出力終了から画素信号Ｖｐｉｘの出力開始までの期間であるバックポーチ（ＶＢＰ：Vertical  Back  Porch）を除く表示出力期間において２つのゲートドライバ１２ａ，１２ｂのいずれか一方を動作させて、左領域Ｌ又は右領域Ｒのいずれか一方の表示領域における表示出力内容の更新を行う。例えば、ゲートドライバ１２ａ，１２ｂはシフトレジスタであって、それぞれのシフトレジレスタに対して異なるスタートパルスを印加することで、ゲートドライバ１２ａ，１２ｂを動作させるタイミングをずらし、左領域Ｌと右領域Ｒのいずれか一方に存在する走査線ＧＣＬにのみ走査信号Ｖｓｃａｎを印加することで、いずれか一方の表示領域における表示出力内容の更新を行う。
【００４２】
（タッチ検出電極及び駆動電極の配置）
実施形態１に係るタッチ検出デバイス３０は、駆動電極ＣＯＭＬが走査する方向と交差する方向について複数に分割されている。具体的には、行方向に沿う１ラインに２本存在する駆動電極ＣＯＭＬが、走査する方向について隣接する第１領域（左領域Ｌ）と第２領域（右領域Ｒ）に存する。本実施形態では、各領域に含まれる駆動電極ＣＯＭＬは、液晶表示デバイス２０が走査する方向に対して、配置間隔または配置位置が共通する。具体的には、例えば図１０に示すように、行方向に沿う一直線上に２本ずつの駆動電極ＣＯＭＬが存する。行方向に沿う一直線上に２本ずつ存する駆動電極ＣＯＭＬのうち、一方は左領域Ｌに存し、他方は右領域Ｒに存する。実施形態１では、行方向の中間位置、すなわち、列方向に沿ってタッチ検出デバイス３０のタッチ検出領域を２分割する中間線を挟んで、一直線上に２本存する走査線ＧＣＬが対向する位置に配置されている。なお、本実施例では、走査線ＧＣＬの長さは２分割する中間線を挟んで、行方向に沿う一直線上に２つの走査線ＧＣＬが配置される長さであるが、これに限らない。走査線ＧＣＬは走査方向に交差する方向で３分割以上されていてもよいし、走査線ＧＣＬの長さについても左右で異なってもよい。また、実施形態１に係る駆動電極ＣＯＭＬの延設方向は、走査線ＧＣＬの配線方向と平行であるが、これに限らない。例えば、駆動電極ＣＯＭＬの延設方向は、信号線ＳＧＬの配線方向と平行な方向であってもよい。
【００４３】
図１０は、実施形態１に係るタッチ検出デバイス３０におけるタッチ検出電極ＴＤＬ及び駆動電極ＣＯＭＬの配線を示す図である。実施形態１に係るタッチ検出デバイス３０は、タッチ走査方向に交差する方向で分割された複数のタッチ検出領域の各々にタッチ検出電極ＴＤＬが個別に設けられている。具体的には、例えば図１０に示すように、実施形態１に係るタッチ検出デバイス３０は、走査方向に対して交差する方向において分割された第１領域(左領域Ｌ)と第２領域(右領域Ｒ)を有し、左領域Ｌに存する駆動電極ＣＯＭＬと静電容量を形成するように設けられたタッチ検出電極ＴＤＬと、右領域Ｒに存する駆動電極ＣＯＭＬと静電容量を形成するように設けられたタッチ検出電極ＴＤＬとを有する。複数のタッチ検出電極ＴＤＬは、駆動電極ＣＯＭＬの延設方向と交差する方向に延設される。具体的には、タッチ検出電極ＴＤＬは、列方向に沿って延設されている。
【００４４】
図１０では、左領域Ｌに存する駆動電極ＣＯＭＬと静電容量を形成するように設けられたタッチ検出電極ＴＤＬのうち最左のタッチ検出電極ＴＤＬに番号１を付し、右領域Ｒに存する駆動電極ＣＯＭＬと静電容量を形成するように設けられたタッチ検出電極ＴＤＬのうち最右のタッチ検出電極ＴＤＬに番号８を付している。以下、タッチ検出に係る説明では、便宜的に８本タッチ検出電極を用いた動作について説明する。また、当該８本のタッチ検出電極のうち、左領域Ｌに存する駆動電極ＣＯＭＬと静電容量を形成するように設けられたタッチ検出電極ＴＤＬに左から順に１，２，３，４の番号が付され、右領域Ｒに存する駆動電極ＣＯＭＬと静電容量を形成するように設けられたタッチ検出電極ＴＤＬに左から順に５，６，７，８の番号が付されているものとする。当該８本のタッチ検出電極ＴＤＬのうち一部を区別する場合、付された番号を用いて区別する。
【００４５】
次に、ＣＯＧ１９を介してタッチ検出機能付き表示デバイス１０に出力される信号の電力原として機能する電源装置ＰＳについて、図１１を参照して説明する。図１１は、実施形態１に係るＣＯＧ１９及び電源装置ＰＳの概略構成の一例を示す図である。図１１に示すように、電源装置ＰＳは、電力供給経路に接続されたコンデンサを有する。係るコンデンサは、例えばセラミックコンデンサであるが、フィルムコンデンサ等、他のコンデンサであってもよい。
【００４６】
電源装置ＰＳが有するコンデンサがセラミックコンデンサである場合、コンデンサは、ＣＯＧ１９の消費電力変動に応じて伸縮する（電歪効果）。この伸縮は、電源装置ＰＳが設けられた基板に振動を生じさせる。係る振動の周期がヒトの可聴周波数帯域（20Hz〜20kHz）になった場合、可聴音が生ずる（音鳴き）。
【００４７】
タッチ検出機能付き表示装置１の動作に係り電力消費量を大きく左右するのは、信号線ＳＧＬを介して行われる画素信号Ｖｐｉｘの出力のＯＮ／ＯＦＦ及びこれに伴う画像の更新に係る動作である。仮に、画素信号Ｖｐｉｘの出力のＯＮ／ＯＦＦが周期的に行われる場合、電力消費量が増減することで、電源装置ＰＳの負荷変動に周期的な振幅が現れることになる。係る負荷変動の振幅は、電源装置ＰＳの負荷をより大きくする。また、係る負荷変動の振幅は、電源装置ＰＳが有するコンデンサがセラミックコンデンサである場合、音鳴きの原因になる。すなわち、消費電力量の増減は、より少ないことが好ましい。そこで、実施形態１に係るＣＯＧ１９は、液晶表示デバイス２０及びタッチ検出デバイス３０の動作制御に係り、消費電力量の増減を低減するための仕組みを有している。以下、当該仕組みについて、図１２及び図１３を参照して説明する。
【００４８】
（表示更新領域とタッチ検出領域との関係）
図１２は、実施形態１に係る表示更新領域の区分とタッチ検出電極ＴＤＬの配置との関係の一例を示す図である。実施形態１に係る液晶表示デバイス２０は、図９を参照して説明した走査線ＧＣＬの配線により、表示領域の左右で個別に走査信号Ｖｓｃａｎの出力タイミングを制御することができる。このため、実施形態１では、左右で個別に表示出力内容の更新を行うことができる。すなわち、実施形態１に係る液晶表示デバイス２０は、画面の走査方向（列方向）に沿って並列する複数の走査線ＧＣＬが個別に設けられた複数の部分表示部を有する。より具体的には、実施形態１に係る液晶表示デバイス２０は、走査方向（列方向）と交差する方向（行方向）に沿って画面を２分割するよう設けられた部分表示部を有する。
【００４９】
より具体的には、実施形態１に係る液晶表示デバイス２０は、左領域Ｌと右領域Ｒの２分割に加えて、ＣＯＧ１９が走査線ＧＣＬ毎に走査信号Ｖｓｃａｎの出力タイミングを個別に制御することで、さらに走査方向（列方向）についてライン単位で表示更新領域を細分化することができる。図１２では、左領域Ｌと右領域Ｒの２分割に加えて、列方向についてＡ，Ｂ，Ｃ，Ｄの４つの領域に細分化された８つの表示更新領域が領域ＡＬ，ＡＲ，ＢＬ，ＢＲ，ＣＬ，ＣＲ，ＤＬ，ＤＲを設けられる。また、例えば、列方向に４０ライン（４０本）の走査線ＧＣＬが設けられた表示領域を８つの表示更新領域として領域ＡＬ，ＡＲ，ＢＬ，ＢＲ，ＣＬ，ＣＲ，ＤＬ，ＤＲに区切った場合、１つの表示更新領域は１０本の走査線ＧＣＬを有するよう設けられる。本実施形態のように左領域Ｌに含まれる領域ＡＬ，ＢＬ，ＣＬ，ＤＬに含まれる走査線ＧＣＬついては共通のゲートドライバ１２ａに接続される。また、右領域Ｒに含まれる領域ＡＲ，ＢＲ，ＣＲ，ＤＲに含まれる走査線ＧＣＬについては共通のゲートドライバ１２ｂに接続される。係る接続関係では、ゲートドライバ１２ａ，１２ｂの各々で走査線ＧＣＬに走査信号Ｖｓｃａｎを印加するタイミングを変更することで、表示更新領域ごとの制御を行うこととしてもよいが、これは走査信号Ｖｓｃａｎを印加するタイミングの制御に係る具体的構成の一例であってこれに限られず、具体的構成は適宜変更可能である。
【００５０】
また、本実施形態では、表示更新領域毎にゲートドライバ１２を有し、ゲートドライバ１２は各表示領域に含まれる複数の走査線ＧＣＬと接続する。ゲートドライバ１２は例えばシフトレジスタを含み、各表示更新領域のシフトレジスタは個別のスタートパルスによって制御され、各表示更新領域ごとに、領域に含まれる走査線ＧＣＬに走査信号Ｖｓｃａｎを付与する。
【００５１】
なお、本実施例において、表示更新領域を８つに分ける場合を例示しているが、これは表示更新領域の分割の具体的一例であってこれに限られるものでなく、適宜変更可能である。
【００５２】
また、実施形態１に係るタッチ検出デバイス３０は、図１０を参照して説明したタッチ検出電極ＴＤＬ１〜４，５〜８及び駆動電極ＣＯＭＬの配置により、表示領域に重畳するタッチ検出領域の左領域Ｌまたは右領域Ｒにおいて個別にタッチ検出を行うタイミングを制御することができる。より具体的には、左領域Ｌに対応する駆動電極ＣＯＭＬに対して駆動信号Ｖｃｏｍを印加することで、左領域Ｌに存在するタッチ検出電極ＴＤＬ１〜４から左領域Ｌに対応するタッチ検出信号Ｖｄｅｔを検出することができる。一方で、右領域Ｒに対応する駆動電極ＣＯＭＬに対して駆動信号Ｖｃｏｍを印加することで右領域Ｒに存在するタッチ検出電極ＴＤＬ５〜８から右領域Ｒに対応するタッチ検出信号Ｖｄｅｔを検出することができる。このように各領域に対応する駆動電極ＣＯＭＬに対して、駆動信号Ｖｃｏｍを個別に印加することで、各領域におけるタッチ検出を個別に制御することができる。
【００５３】
さらに、表示領域とタッチ検出領域が重畳するように分割することで、タッチ検出を行っている領域と表示を行っている領域を分けることができる。具体的には、表示領域を走査方向に交差する方向に分割した左領域Ｌに含まれる画素と、タッチ検出領域を走査方向に交差する方向に分割した左領域Ｌに含まれる画素は共通である。表示領域を走査方向に交差する方向に分割した右領域Ｒに含まれる画素と、タッチ検出領域を走査方向に交差する方向に分割した右領域Ｒに含まれる画素は共通である。つまり、表示領域とタッチ検出領域は、少なくとも走査方向と交差する方向において同一の画素が含まれるように分割される。言い換えると、行方向に沿って分割される走査線ＧＣＬは、左領域Ｌと右領域Ｒの境界の画素をそれぞれ駆動するために必要な長さで配設され、行方向に沿って分割される駆動電極ＣＯＭＬは、左領域Ｌと右領域Ｒの境界の画素をそれぞれ駆動するために必要な長さで配設される。例えば、左領域Ｌに含まれる走査線ＧＣＬの長さと駆動電極ＣＯＭＬの長さは実質的に同一であり、右領域Ｒに含まれる走査線ＧＣＬの長さと駆動電極ＣＯＭＬの長さは実質的に同一である。このようにすることによって、走査方向と交差する方向において分割された領域において、表示とタッチ検出を、異なる領域において同タイミングで行うことができる。例えば、左領域Ｌにおいて走査線ＧＣＬに走査信号Ｖｓｃａｎが印加され、左領域Ｌに含まれる駆動電極ＣＯＭＬに表示用の電荷（ＤＣ電圧）が印加している間に、右領域Ｒにおいて、右領域Ｒに含まれる駆動電極ＣＯＭＬに駆動信号Ｖｃｏｍ（ＡＣ電圧）を印加して、右領域Ｒに含まれるタッチ検出電極ＴＤＬ５〜８から検出信号Ｖｄｅｔを検出することができる。
【００５４】
また、実施形態１に係るタッチ検出デバイス３０は、図１０を参照して説明した駆動電極ＣＯＭＬの配置により、左領域Ｌのタッチ検出電極ＴＤＬ（１〜４）が動作している場合に右領域Ｒの駆動電極ＣＯＭＬへの電気的影響及び右領域Ｒのタッチ検出電極ＴＤＬ（５〜８）が動作している場合における左領域Ｌの駆動電極ＣＯＭＬへの電気的影響を低減することができる。すなわち、タッチ検出電極ＴＤＬ（１〜４）とタッチ検出電極ＴＤＬ（５〜８）のいずれか一方によるタッチ検出が行われている場合に他方によるタッチ検出が行われないようにすることで、タッチ検出の動作に係り用いられる駆動電極ＣＯＭＬが、左領域Ｌ又は右領域Ｒの一方のみである状態とすることができる。この左領域Ｌのタッチ検出領域及び右領域Ｒのタッチ検出領域はそれぞれ個別にタッチ検出を行うことができる部分検出部として機能する。すなわち、実施形態１に係るタッチ検出デバイス３０は、並列する複数のタッチ検出電極ＴＤＬ及びタッチ検出電極ＴＤＬが並列する方向（例えば、列方向）と異なる方向（例えば、行方向）に沿って並列してタッチ検出電極ＴＤＬとの間に静電容量を形成する複数の駆動電極ＣＯＭＬが個別に設けられた複数の部分検出部を有する。より具体的には、実施形態１に係るタッチ検出デバイス３０は、走査方向（列方向）と直交する方向（行方向）に沿って画面を２分割するよう設けられた部分検出部を有する。
【００５５】
以上、図１２を参照して説明したように、実施形態１に係るタッチ検出機能付き表示デバイス１０には、複数の部分表示部によって個別に画像の更新が行われる表示更新領域及び複数の部分検出部によって個別にタッチ検出が行われるタッチ検出領域が、少なくとも走査方向（列方向）と異なる方向（例えば、行方向）に２つ設けられている。ここで、行方向に２つ存する表示更新領域とは、例えば、表示更新領域ＡＬと表示更新領域ＡＲ，表示更新領域ＢＬと表示更新領域ＢＲ，表示更新領域ＣＬと表示更新領域ＣＲ，表示更新領域ＤＬと表示更新領域ＤＲである。また、行方向に２つ設けられているタッチ検出領域とは、左領域Ｌのタッチ検出領域と右領域Ｒのタッチ検出領域である。
【００５６】
（画像の更新とタッチ検出のタイミング制御）
図１３は、実施形態１における画像の更新のタイミングとタッチ検出のタイミングとの関係の一例を示すタイミングチャートである。実施形態１では、左右の表示更新領域のうち左領域Ｌ又は右領域Ｒのいずれか一方における画像の更新と、左右のタッチ検出領域のうち他方におけるタッチ検出とを並行して行う。具体的には、例えば図１３に示すように、ＣＯＧ１９は、右領域Ｒの表示更新領域ＡＲで画像を更新するための画素信号Ｖｐｉｘの出力を信号線ＳＧＬに行うタイミングで、右領域Ｒのゲートドライバ１２ｂを動作させて表示更新領域ＡＲの走査線ＧＣＬに走査信号Ｖｓｃａｎを出力し、右領域Ｒの駆動電極ＣＯＭＬに対して表示用の電荷を印加する。また、ＣＯＧ１９は、当該タイミングで、左領域Ｌのタッチ検出領域に存する駆動電極ＣＯＭＬに駆動信号Ｖｃｏｍを印加して、左領域Ｌのタッチ検出領域に存するタッチ検出電極ＴＤＬ１からのタッチ検出信号Ｖｄｅｔに基づいてタッチ検出を行う。当該タイミングでは、右領域Ｒでの画像の更新と左領域Ｌでのタッチ検出とが並行している。
【００５７】
また、ＣＯＧ１９は、左領域Ｌの表示更新領域ＡＬで画像を更新するための画素信号Ｖｐｉｘの出力を信号線ＳＧＬに行うタイミングで、左領域Ｌのゲートドライバ１２ａを動作させて表示更新領域ＡＬの走査線ＧＣＬに走査信号Ｖｓｃａｎを出力し、左領域Ｌの駆動電極ＣＯＭＬに表示用の電荷を印加する。また、ＣＯＧ１９は、当該タイミングで、右領域Ｒのタッチ検出領域に存する駆動電極ＣＯＭＬに駆動信号Ｖｃｏｍを印加してタッチ検出電極ＴＤＬ５からのタッチ検出信号Ｖｄｅｔに基づいてタッチ検出を行う。当該タイミングでは、左領域Ｌでの画像の更新と右領域Ｒでのタッチ検出とが並行している。
【００５８】
ＣＯＧ１９は、上記の仕組みで、表示更新領域ＡＲ，ＡＬ，ＢＲ，ＢＬ，ＣＲ，ＣＬ，ＤＲ，ＤＬの順に画像の更新を行うと共に、当該画像の更新に並行して、番号１，５，２，６，３，７，４，８の順で、タッチ検出電極ＴＤＬからのタッチ検出信号Ｖｄｅｔに基づいてタッチ検出を行う。このように、ＣＯＧ１９は、液晶表示デバイス２０及びタッチ検出部の動作を制御する動作制御部として機能する。また、ＣＯＧ１９は、所定期間中に画像の更新が行われる表示更新領域と当該所定期間中にタッチ検出が行われるタッチ検出領域とが異なる位置となるように複数の部分表示部及び複数の部分検出部の動作を制御する。また、実施形態１に係るＣＯＧ１９は、表示更新領域における画像の更新とタッチ検出領域によるタッチ検出とを並行させる。また、実施形態１では、画像の更新が行われる表示更新領域の切替タイミングとタッチ検出が行われるタッチ検出領域の切替タイミングとが同一である。
【００５９】
図１３を参照して説明したＣＯＧ１９の動作制御によれば、消費電力量を大きく左右する動作である画素信号Ｖｐｉｘの出力及びこれに伴う処理が、表示領域全体の１／８に対応する表示更新領域で画像を更新するための処理で維持されている。このため、画像の更新に係る消費電力量が、表示領域全体の１／８に対応する表示更新領域で画像を更新するための処理に係る消費電力量で維持されることになる。このように、消費電力量の増減を抑制することができることから、電源装置ＰＳの負荷変動及び負荷をより小さくすることができる。また、電源装置ＰＳが有するコンデンサがセラミックコンデンサであったとしても、画素信号Ｖｐｉｘの出力のＯＮ／ＯＦＦ及びこれに伴う画像の更新に係る動作に起因する消費電力量の周期的な増減を抑制することができることから、音鳴きの発生を抑制することができる。
【００６０】
また、実施形態１によれば、図１０を参照して説明した駆動電極ＣＯＭＬの配置により、左領域Ｌのタッチ検出電極ＴＤＬ（１〜４）が動作している場合に右領域Ｒの駆動電極ＣＯＭＬへの電気的影響及び右領域Ｒのタッチ検出電極ＴＤＬ（５〜８）が動作している場合における左領域Ｌの駆動電極ＣＯＭＬへの電気的影響を低減することができる。図１３を参照して説明した通り、ＣＯＧ１９は、すなわち、タッチ検出電極ＴＤＬ（１〜４）とタッチ検出電極ＴＤＬ（５〜８）のいずれか一方によるタッチ検出が行われている場合に他方によるタッチ検出が行われないようにしており、かつ、同一タイミングで画像の更新が行われる表示更新領域を他方の表示更新領域としている。このため、液晶表示デバイス２０の動作とタッチ検出デバイス３０の動作の並行と液晶表示デバイス２０の動作に伴い生じ得るノイズによるタッチ検出デバイス３０への影響の低減とを両立することができる。よって、従来のような時分割制御に比してより多くの時間をタッチ検出に割り当てやすくなり、より多くの時間をかけたタッチ検出によるタッチ検出精度及びタッチ検出結果の出力頻度（レポートレート）の向上をより容易にすることができる。
【００６１】
また、実施形態１によれば、画像の更新が行われる表示更新領域の切替タイミングとタッチ検出が行われるタッチ検出領域の切替タイミングとが同一であるので、切替タイミングを管理するための周期的信号（クロック信号等）を共通化させることができる。また、切替タイミングを同一タイミングとすることで、画像の更新が行われている部分とタッチ検出が行われている部分とを入れ違いにしやすくなり、液晶表示デバイス２０の動作とタッチ検出デバイス３０の動作の並行と液晶表示デバイス２０の動作に伴い生じ得るノイズによるタッチ検出デバイス３０への影響の低減との両立がより容易になる。
【００６２】
また、実施形態１によれば、タッチ検出に係る駆動電極は、画素Ｖｐｉｘの電極と共通の電極（駆動電極ＣＯＭＬ）であるので、電極の共通化による部品点数の低減及びタッチ検出機能付き表示デバイス１０のコンパクト化をより容易にすることができる。
【００６３】
（参考例）
実施形態１に対する参考例について、図１４〜図１６を参照して説明する。図１４は、参考例である従来の液晶表示デバイス２００における走査線ＧＣＬの配線を示す図である。図１５は、参考例である従来のタッチ検出デバイス３００におけるタッチ検出電極ＴＤＬ及び駆動電極ＣＯＭＬの配線を示す図である。図１４に示すように、従来の液晶表示デバイス２００における走査線ＧＣＬは、１ラインにつき１本である。すなわち、従来の液晶表示デバイス２００において画像の更新を行うことができる最小単位は、ライン単位であって行方向に分割することができない。また、図１５に示すように、従来のタッチ検出デバイス３００における駆動電極ＣＯＭＬは、行方向に分割されていない。このため、液晶表示デバイス２００における画像の更新中、タッチ検出デバイス３００は、行方向について駆動電極ＣＯＭＬが存する全ての領域でノイズの影響を受けることになる。
【００６４】
図１６は、参考例における画像の更新のタイミングとタッチ検出のタイミングとの関係を示すタイミングチャートである。図１４及び図１５を参照して説明した従来の液晶表示デバイス２００及びタッチ検出デバイス３００の構成では、液晶表示デバイス２００における画像の更新中にタッチ検出を行うと液晶表示デバイス２００からのノイズの影響によるタッチ検出精度の低下を招くことになる。このため、図１６に示すように、従来は、信号線ＳＧＬに対する画素信号Ｖｐｉｘの出力及びゲートドライバ１２の動作を伴う表示更新領域Ａ〜Ｄの画像の更新中にはタッチ検出を行わず、タッチ検出電極ＴＤＬを用いたタッチ検出中には画像の更新を行わない制御を行っていた。係る従来の制御では、１フレームの画像の更新期間中の半分の時間しかタッチ検出に割り当てることができず、タッチ検出精度及びタッチ検出結果の出力頻度（レポートレート）の向上が困難であった。
【００６５】
また、従来の制御では、消費電力量を大きく左右する動作である画素信号Ｖｐｉｘの出力及びこれに伴う処理のＯＮ／ＯＦＦが周期的に生じる。このような制御では、消費電力量の増減による電源装置ＰＳの負荷変動及び負荷が大きい。また、電源装置ＰＳが有するコンデンサがセラミックコンデンサである場合に、音鳴きを生じさせる。
【００６６】
（変形例）
次に、本発明の変形例について図１７〜図１８を参照して説明する。変形例の説明に係り、実施形態１と同様の構成については同じ符号を付して説明を省略することがある。
【００６７】
図１３を参照して説明した画像の更新のタイミングとタッチ検出のタイミングとの関係の具体的内容はあくまで一例であってこれに限られるものでなく、例えば図１７及び図１８に示すようにすることもできる。
【００６８】
（変形例１）
図１７は、変形例１における画像の更新のタイミングとタッチ検出のタイミングとの関係を示すタイミングチャートである。図１７に示すように、ＣＯＧ１９は、左領域Ｌ又は右領域Ｒのいずれか一方に存する１つの表示更新領域で画像の更新が行われているタイミングで、他方に存する複数のタッチ検出電極ＴＤＬを用いたタッチ検出を行うようにしてもよい。図１７は、実施形態１において１つのタッチ検出電極ＴＤＬを用いてタッチ検出を行っていたタイミングで２つのタッチ検出電極ＴＤＬを用いたタッチ検出を行う場合を図示しているが、３つ以上のタッチ検出電極ＴＤＬを同時に用いるようにしてもよい。
【００６９】
変形例１によれば、図１３を参照して説明した例に比してレポートレートをより向上させることができる。例えば、図１７に示す例であれば、タッチ検出電極ＴＤＬを一巡させるための期間を図１３に示す例に比して二分の一にすることができることから、レポートレートを２倍にすることができる。
【００７０】
（変形例２）
図１８は、変形例２における画像の更新のタイミングとタッチ検出のタイミングとの関係を示すタイミングチャートである。図１８に示すように、ＣＯＧ１９は、左領域Ｌ又は右領域Ｒのいずれか一方に存する複数の表示更新領域における画像の更新を連続して行った後に他方に存する複数の表示更新領域における画像の更新を連続して行うようにしてもよい。この場合、ＣＯＧ１９は、左領域Ｌ又は右領域Ｒの他方に存するタッチ検出電極ＴＤＬを用いたタッチ検出を連続して行った後に、一方に存するタッチ検出電極ＴＤＬを用いたタッチ検出を連続して行う。
【００７１】
図１８に示す例によれば、２つのゲートドライバ１２ａ，１２ｂの動作の切り替わりの頻度をより低減することができる。例えば、ゲートドライバ１２ａ，１２ｂがシフトレジスタである場合は、図１５、図１７の場合においては、各ゲートドライバ１２に接続された走査線ＧＣＬへの走査信号の供給を一時中断する必要があるため、別途走査線に接続されていない転送回路やラッチ回路等の信号保持回路を設けたり、それぞれの駆動タイミングに合わせたスタートパルス等を設ける必要があるが、図１８に示す例によれば、ゲートドライバ１２のそれぞれに接続された走査線ＧＣＬへの走査信号の供給を順次行うことができるため、中断処理に必要な回路を省略することができる。
【００７２】
以上、図１７及び図１８を参照して本発明の変形例としてのタイミング制御について説明したが、図１３を参照して説明した実施形態１ならびに図１７、図１８を参照して説明した変形例１，２におけるレポートレート、表示順及びタッチ検出順の具体例に限らず、特許請求の範囲に記載された本発明の特徴を満たす範囲内でレポートレート、表示順及びタッチ検出順を任意に設定することができる。
【００７３】
（変形例３）
図１９は、変形例３における走査線ＧＣＬａの配置例を示す図である。図９等では行方向について同一直線上に位置する走査線ＧＣＬが部分領域毎に個別に設けられた構成を例示しているが、これは部分領域を構成する走査線の配置の一例であってこれに限られるものでない。例えば図１９に示すように、複数の走査線ＧＣＬａの並び方向と複数の部分領域の並び方向とが一致していてもよい。この場合、１つの走査線ＧＣＬａの延設方向について、同一直線上に他の走査線は配置されない。走査線ＧＣＬａは、部分領域毎に個別のゲートドライバ１２Ａ，１２Ｂによって走査信号Ｖｓｃａｎが出力される。
【００７４】
（変形例４）
図２０は、変形例４における駆動電極ＣＯＭＬａ，ＣＯＭＬｂ及びタッチ検出電極ＴＤＬａの配置例を示す図である。図１０等では駆動電極ＣＯＭＬの延設方向が表示領域の短辺側に沿い、タッチ検出電極ＴＤＬの延設方向が表示領域の長辺側に沿う構成を例示しているが、これは駆動電極及びタッチ検出電極の配置例であってこれに限られるものでない。例えば図２０に示すように、図１０等で示す例と比して駆動電極ＣＯＭＬａ，ＣＯＭＬｂの延設方向とタッチ検出電極ＴＤＬａの延設方向とが入れ替わっていてもよい。図２０における駆動電極ＣＯＭＬａ，ＣＯＭＬｂはそれぞれ異なる部分領域の駆動電極であり、個別に駆動される。
【００７５】
走査線、駆動電極、タッチ検出電極等、各種の配線及び電極の配置は、所定期間中に画像の更新が行われる表示更新領域と当該所定期間中にタッチ検出が行われるタッチ検出領域とが異なる位置となるように複数の部分表示部及び複数の部分検出部の動作を制御することができる範囲内で適宜変更可能である。
【００７６】
（実施形態２）
次に、本発明の実施形態２について、図２１及び図２２を参照して説明する。実施形態２の説明に係り、実施形態１と同様の構成については、同じ符号を付して説明を省略することがある。図２１は、実施形態２に係るタッチ検出機能付き表示デバイスの概略断面構造を表す断面図であり、図２２は、実施形態２に係る液晶表示デバイス２０及びタッチ検出デバイス１３０の形態を示す図である。図２１に示すように、タッチ検出デバイス１３０は、液晶表示デバイス２０と別体である。実施形態２に係る表示デバイス（液晶表示デバイス２０）の具体的構成は、例えば、実施形態１に係るタッチ検出機能付き表示装置１の構成のうち、タッチ検出デバイス３０のタッチ検出電極ＴＤＬ及びタッチ検出電極ＴＤＬを動作させるための構成（タッチ検出部４０等）が省略された構成による。駆動電極ＣＯＭＬについては、実施形態１と同様の構成が採用される。例えば、図２１に示すように、第２基板３Ａは、ガラス基板３１と、ガラス基板３１の一方の面に配置されるカラーフィルタ３２と、ガラス基板３１の他方の面に配置される偏光板３５を有し、タッチ検出電極ＴＤＬは配置されない。
【００７７】
実施形態２に係るタッチ検出デバイス１３０は、実施形態１に係るタッチ検出機能付き表示装置１の構成のうち、タッチ検出デバイス３０のタッチ検出電極ＴＤＬ及びタッチ検出電極ＴＤＬを動作させるための構成（タッチ検出部４０等）のみを有する構成になる。ただし、図２１及び図２２に示すように、タッチ検出デバイス１３０は、実施形態１における駆動電極ＣＯＭＬに代えて、タッチ検出のための専用の駆動電極ＣＯＭＬＴを有する。すなわち、実施形態２では、駆動電極ＣＯＭＬと駆動電極ＣＯＭＬＴとが独立して存する。タッチ検出デバイス１３０は、例えば、図２１に示すように、第２基板３Ａと対向するよう設けられた第３基板４を有する。第２基板３Ａは、上記の第２基板３の構成からタッチ検出電極ＴＤＬを省略した構成である。第２基板３Ａと第３基板４は接着層５０を介して接着されている。第３基板４は、ガラス基板４１と、第３基板４の一方の面に配置されるタッチ検出電極ＴＤＬと、第３基板４の他方の面に配置される駆動電極ＣＯＭＬＴとを有する。このように、実施形態２では、タッチ検出に係る駆動電極（ＣＯＭＬＴ）と画素の電極（駆動電極ＣＯＭＬ）とが個別に設けられる。また、タッチ検出デバイス１３０は、動作制御回路１３１を有する。動作制御回路１３１は、実施形態１に係るタッチ検出部４０の機能と、駆動電極ドライバ１４のうちタッチ検出に係る動作（駆動信号Ｖｃｏｍｔを出力するスキャン操作（Ｓｃａｎ）等）を行う機能を有する回路である。なお、動作制御回路１３１は、ガラス基板４１上に配置されてもよいし、第３基板４と接続されたプリント基板ＦＰＣ２上に配置されていてもよい。
【００７８】
実施形態２に係るＣＯＧ１９は、液晶表示デバイス２０とタッチ検出デバイス１３０とを同期信号で同期させる。具体的には、図２１及び図２２に示すように、第１基板２と接続されたプリント基板ＦＰＣ１と第３基板４と接続されたプリント基板ＦＰＣ２とを接続し、ＣＯＧ１９は、タッチ検出デバイス１３０に設けられた動作制御回路１３１に同期信号を出力する。同期信号は、少なくとも、左領域Ｌ又は右領域Ｒのいずれで画像の更新が行われているかを示す情報と、当該画像の更新が行われているタイミングを示す情報を含む。より具体的には、同期信号は、例えば、予め定めらえた符号（例えば、上記の８つの表示更新領域ＡＬ，ＡＲ，ＢＬ，ＢＲ，ＣＬ，ＣＲ，ＤＬ，ＤＲの各々を示す個別の符号）と、当該符号が示す表示更新領域での画像の更新の開始タイミングとを示す周期的な信号である。動作制御回路１３１は、同期信号が示す表示更新領域の位置（左領域Ｌ又は右領域Ｒのいずれか一方）の反対側（他方）に存するタッチ検出領域でタッチ検出を行うように駆動電極ＣＯＭＬＴに駆動信号Ｖｃｏｍｔを出力し、当該反対側に存するタッチ検出電極ＴＤＬからのタッチ検出信号Ｖｄｅｔを検出することでタッチ検出を行う。
【００７９】
実施形態２によれば、駆動電極（ＣＯＭＬＴ）と画素の電極（駆動電極ＣＯＭＬ）とが個別に設けられていても、実施形態１と同様に、液晶表示デバイス２０の動作とタッチ検出デバイス１３０の動作の並行と液晶表示デバイス２０の動作に伴い生じ得るノイズによるタッチ検出デバイス１３０への影響の低減とを両立することができる。よって、従来のような時分割制御に比してより多くの時間をタッチ検出に割り当てやすくなり、より多くの時間をかけたタッチ検出によるタッチ検出精度及びタッチ検出結果の出力頻度（レポートレート）の向上をより容易にすることができる。
【００８０】
また、実施形態２によれば、タッチ検出デバイス１３０と液晶表示デバイス２０とが別体であることで、デバイス間のノイズの影響をより低減しやすくなる。なお、本実施例において、偏光板３５をガラス基板３１上に設けたが、これに限られず、偏光板３５は、ガラス基板４１上に設けてもよい。また、タッチ検出電極ＴＤＬと駆動電極ＣＯＭＬＴをそれぞれ同一のガラス基板４１上の一方の面と他方の面に設けることとしたがこれに限られない。例えば、マトリクス状に電極を配置して、ブリッジ電極を介してつなぐことによって、ガラス基板４１のいずれか一方の面にタッチ検出電極ＴＤＬと駆動電極ＣＯＭＬＴを配置してもよい。また、ガラス基板４１に対向するガラス基板５１を更に設け、タッチ検出電極ＴＤＬと駆動電極ＣＯＭＬＴを、それぞれ、ガラス基板５１とガラス基板４１のいずれか一方に配置してもよい。また、ガラス基板４１の代わりにフィルム基板を用いてもよい。
【００８１】
（実施形態３）
次に、本発明の実施形態３について、図２３及び図２４を参照して説明する。実施形態３の説明に係り、実施形態１と同様の構成については、同じ符号を付して説明を省略することがある。図２３は、実施形態３に係る液晶表示デバイス２０ａにおける走査線ＧＣＬの配線を示す図である。図２４は、実施形態３に係るタッチ検出デバイス３０ａにおけるタッチ検出電極ＴＤＬ及び駆動電極ＣＯＭＬの配線を示す図である。
【００８２】
実施形態３に係る液晶表示デバイス２０ａは、走査線ＧＣＬの具体的な配線の形態が実施形態１に係る液晶表示デバイス２０と異なる。液晶表示デバイス２０ａは、画面の走査方向（列方向）に沿って並列する複数の走査線ＧＣＬを有する。具体的には、図２３に示すように、液晶表示デバイス２０ａに設けられた走査線ＧＣＬは、１ラインにつき１本であり、２つのゲートドライバ１２ｃ，１２ｄを結ぶように連続している。このため、実施形態３に係る液晶表示デバイス２０ａで画像の更新を行うことができる最小単位はライン単位である。なお、実施形態３に係る説明では２つのゲートドライバ１２ｃ，１２ｄで走査線ＧＣＬに走査信号Ｖｓｃａｎを印加する場合を例示しているが、これに限られない。例えば、一方のゲートドライバのみで走査信号Ｖｓｃａｎを印加してもよい。
【００８３】
実施形態３に係るタッチ検出デバイス３０ａは、実施形態１に係るタッチ検出デバイス３０と同様に、並列する複数のタッチ検出電極ＴＤＬ及びタッチ検出電極ＴＤＬが並列する方向と異なる方向に沿って並列してタッチ検出電極ＴＤＬとの間に静電容量を形成する複数の駆動電極ＣＯＭＬが個別に設けられた複数の部分検出部を有するが、タッチ検出電極ＴＤＬ及び駆動電極ＣＯＭＬの具体的な配置が実施形態１と異なる。
【００８４】
タッチ検出デバイス３０ａのタッチ検出電極ＴＤＬは、走査方向（列方向）について２分割されるように設けられている。具体的には、例えば図２４に示すように、行方向に沿って並ぶ複数（図２４では、８本）のタッチ検出電極ＴＤＬが、タッチ検出領域の上側と下側とで個別に設けられている。
【００８５】
また、実施形態３では、駆動電極ＣＯＭＬが、行方向に沿って並ぶ複数のタッチ検出電極ＴＤＬの全て（番号１〜８又は番号９〜１６）と交差するように行方向に延設されている。このように、実施形態３に係る駆動電極ＣＯＭＬは、行方向に分割されていない。
【００８６】
図２５は、実施形態３に係る表示更新領域の区分とタッチ検出電極ＴＤＬの配置との関係の一例を示す図である。実施形態３では、画像の更新が行われる表示更新領域及び複数の部分検出部によって個別にタッチ検出が行われるタッチ検出領域が、走査方向に２つ設けられている。具体的には、例えば図２５に示すように、実施形態３における表示更新領域は、走査方向（列方向）について２分割以上の複数の表示更新領域（例えば、Ａ，Ｂ，Ｃ，Ｄの４つの表示更新領域）に分割されている。また、実施形態３におけるタッチ検出領域は、走査方向（列方向）について上下に２分割されている。このようにすることで、走査信号に沿って分割された領域ごとにタッチ検出と表示を個別に実施することができる。例えば、実施形態３では、走査信号に沿って分割された第３領域（上領域）と、第４領域（下領域）において、一方で表示を行っている間に、他方でタッチ検出を並行して行うことができる。具体的には、上領域に対応する走査線ＧＣＬに対して走査信号Ｖｓｃａｎを印加して上領域に対応する駆動電極ＣＯＭＬに表示用の信号を印加している間に、下領域に対応する駆動電極ＣＯＭＬに駆動信号Ｖｃｏｍを印加して、下領域に対応するタッチ検出電極ＴＤＬ１〜８から検出信号Ｖｄｅｔを検出することができる。また、下領域に対応する走査線ＧＣＬに対して走査信号Ｖｓｃａｎを印加して、下領域に対応する駆動電極ＣＯＭＬに表示用の信号を印加している間に、上領域に対応する駆動電極ＣＯＭＬに駆動信号Ｖｃｏｍを印加して、上領域に対応するタッチ検出電極ＴＤＬ９〜１６から検出信号Ｖｄｅｔを検出することができる。また、タッチ検出電極ＴＤＬは走査方向に対して交差する方向で分割されているため、上領域と下領域の一方を検出する際に、表示を行うことによるノイズがタッチ検出電極ＴＤＬを介してノイズとなることを抑えることができる。
【００８７】
図２６は、実施形態３における画像の更新のタイミングとタッチ検出のタイミングとの関係の一例を示すタイミングチャートである。実施形態３に係るＣＯＧ１９は、所定期間中に画像の更新が行われる表示更新領域と当該所定期間中にタッチ検出が行われるタッチ検出領域とが異なる位置となるように表示部で走査が行われる範囲及び複数の部分検出部の動作を制御する。具体的には、ＣＯＧ１９は、例えば図２６に示すように、上領域の表示更新領域Ａで画像を更新するための画素信号Ｖｐｉｘの出力を信号線ＳＧＬに行うタイミングで、表示更新領域Ａの走査線ＧＣＬに走査信号Ｖｓｃａｎを出力し、表示更新領域Ａに対応する駆動電極ＣＯＭＬに表示用の信号を印加する。また、ＣＯＧ１９は、当該タイミングで、下領域の駆動電極ＣＯＭＬにタッチ駆動信号Ｖｃｏｍを印加して、下領域のタッチ検出領域に存する番号１〜４のタッチ検出電極ＴＤＬからのタッチ検出信号Ｖｄｅｔに基づいてタッチ検出を行う。当該タイミングでは、上領域での画像の更新と下領域でのタッチ検出とが並行している。
【００８８】
また、ＣＯＧ１９は、下領域の表示更新領域Ｃで画像を更新するための画素信号Ｖｐｉｘの出力を信号線ＳＧＬに行うタイミングで、表示更新領域Ｃの走査線ＧＣＬに走査信号Ｖｓｃａｎを出力し、表示更新領域Ｃに対応する駆動電極ＣＯＭＬに表示用の信号を印加する。また、ＣＯＧ１９は、当該タイミングで、上領域の駆動電極ＣＯＭＬにタッチ駆動信号Ｖｃｏｍを印加して、下領域のタッチ検出領域に存する番号９〜１２のタッチ検出電極ＴＤＬからのタッチ検出信号Ｖｄｅｔに基づいてタッチ検出を行う。当該タイミングでは、下領域での画像の更新と上領域でのタッチ検出とが並行している。
【００８９】
ＣＯＧ１９は、上記の仕組みで、表示更新領域Ａ，Ｃ，Ｂ，Ｄの順に画像の更新を行うと共に、当該画像の更新に並行して、番号１〜４，９〜１２，５〜８，１３〜１６の順で、タッチ検出電極ＴＤＬからのタッチ検出信号Ｖｄｅｔに基づいてタッチ検出を行う。
【００９０】
実施形態３によれば、実施形態１と同様の効果を奏することができる。すなわち、液晶表示デバイス２０の動作とタッチ検出デバイス３０の動作の並行と液晶表示デバイス２０の動作に伴い生じ得るノイズによるタッチ検出デバイス３０への影響の低減とを両立することができる。よって、従来のような時分割制御に比してより多くの時間をタッチ検出に割り当てやすくなり、より多くの時間をかけたタッチ検出によるタッチ検出精度及びタッチ検出結果の出力頻度（レポートレート）の向上をより容易にすることができる。
【００９１】
また、消費電力量の増減を抑制することができることから、電源装置ＰＳの負荷変動及び負荷をより小さくすることができる。また、電源装置ＰＳが有するコンデンサがセラミックコンデンサであったとしても、画素信号Ｖｐｉｘの出力のＯＮ／ＯＦＦ及びこれに伴う画像の更新に係る動作に起因する消費電力量の周期的な増減を抑制することができることから、音鳴きの発生を抑制することができる。
【００９２】
また、画像の更新が行われる表示更新領域の切替タイミングとタッチ検出が行われるタッチ検出領域の切替タイミングとが同一であるので、切替タイミングを管理するための周期的信号（クロック信号等）を共通化させることができる。また、切替タイミングを同一タイミングとすることで、画像の更新が行われている部分とタッチ検出が行われている部分とを入れ違いにしやすくなり、液晶表示デバイス２０の動作とタッチ検出デバイス３０の動作の並行と液晶表示デバイス２０の動作に伴い生じ得るノイズによるタッチ検出デバイス３０への影響の低減との両立がより容易になる。
【００９３】
なお、実施形態３は、実施形態２と組み合わせることができる。すなわち、液晶表示デバイス２０ａとタッチ検出デバイス３０ａとは別体であってよい。また、実施形態１と変形例との関係と同様に、実施形態３においても、特許請求の範囲に記載された本発明の特徴を満たす範囲内でレポートレート、表示順及びタッチ検出順を任意に設定することができる。
【００９４】
また、上記の実施形態１，２では、表示更新領域及びタッチ検出領域が行方向について２分割されており、実施形態３では、タッチ検出領域が走査方向（列方向）について２分割されているが、２分割は等分であってもよいし、不等分であってもよい。また、これらの２分割を３分割以上としてもよい。その場合、分割数に応じて走査線ＧＣＬ、駆動電極ＣＯＭＬ及びタッチ検出電極ＴＤＬが個別に設けられ、分割された各領域で個別に画像の更新とタッチ検出とを行うことができるよう設けられる。
【００９５】
また、画像の更新が行われる表示更新領域の切替タイミングとタッチ検出が行われるタッチ検出領域の切替タイミングとが同一でなくてもよい。例えば、タッチ検出タイミングがインターバルを挟んだ間欠的なタイミングであってもよいし、単に表示更新領域の切替タイミングとタッチ検出が行われるタッチ検出領域の切替タイミングとがずれていてもよい。
【００９６】
また、上記の実施形態に係り説明されたタッチ検出デバイス３０，３０ａは、静電容量方式のうち、いわゆる相互容量方式を採用したタッチ検出デバイスであるが、相互容量方式はあくまでタッチ検出方式の一例であってこれに限られるものでなく、適宜変更可能である。例えば、自己容量方式であってもよい。例えば、自己容量方式の場合は、本実施形態におけるタッチ検出電極を除いて、複数の駆動電極（タッチ電極）をマトリクス状に配置して、走査線ＧＣＬの走査方向に対して交差する方向で分けられた領域ごとに駆動電極に対して駆動信号Ｖｃｏｍ若しくは表示用の信号を印加すればよい。
【００９７】
また、変形例を含む本発明の実施形態等においては、表示装置の開示例として液晶表示装置の場合を例示したが、その他の適用例として、有機エレクトロルミネセンス（Electroluminescence：ＥＬ）表示装置、その他の自発光型表示装置等、あらゆるフラットパネル型の表示装置が挙げられる。また、中小型から大型まで、特に限定することなく適用が可能であることは言うまでもない。
【００９８】
また、変形例を含む本発明の実施形態等において述べた態様によりもたらされる他の作用効果について本明細書記載から明らかなもの、又は当業者において適宜想到し得るものについては、当然に本発明によりもたらされるものと解される。
【符号の説明】
【００９９】
１  タッチ検出機能付き表示装置
２  第１基板
３  第２基板
６  液晶層
１０  タッチ検出機能付き表示デバイス
１１  制御部
１２，１２ａ，１２ｂ  ゲートドライバ
１３  ソースドライバ
１４  駆動電極ドライバ
２０，２０ａ  液晶表示デバイス
２１，３１  ガラス基板
２２  画素電極
２４  絶縁層
３０，３０ａ  タッチ検出デバイス
３２  カラーフィルタ
３２Ｒ，３２Ｇ，３２Ｂ  色領域
３５  偏光板
４０  タッチ検出部
４２  タッチ検出信号増幅部
４３  Ａ／Ｄ変換部
４４  信号処理部
４５  座標抽出部
４６  検出タイミング制御部
１３０  タッチ検出デバイス
１３１  動作制御回路
２００  液晶表示デバイス
３００  タッチ検出デバイス
ＣＯＭＬ  駆動電極
ＣＯＭＬＴ  駆動電極
ＧＣＬ  走査線
Ｐｉｘ  画素
ＳＧＬ  信号線
ＳＰｉｘ  副画素
【図１】
0006535618.tif 000002
【図２】
0006535618.tif 000003
【図３】
0006535618.tif 000004
【図４】
0006535618.tif 000005
【図５】
0006535618.tif 000006
【図６】
0006535618.tif 000007
【図７】
0006535618.tif 000008
【図８】
0006535618.tif 000009
【図９】
0006535618.tif 000010
【図１０】
0006535618.tif 000011
【図１１】
0006535618.tif 000012
【図１２】
0006535618.tif 000013
【図１３】
0006535618.tif 000014
【図１４】
0006535618.tif 000015
【図１５】
0006535618.tif 000016
【図１６】
0006535618.tif 000017
【図１７】
0006535618.tif 000018
【図１８】
0006535618.tif 000019
【図１９】
0006535618.tif 000020
【図２０】
0006535618.tif 000021
【図２１】
0006535618.tif 000022
【図２２】
0006535618.tif 000023
【図２３】
0006535618.tif 000024
【図２４】
0006535618.tif 000025
【図２５】
0006535618.tif 000026
【図２６】
0006535618.tif 000027